(57)【要約】【課題】ドアの内外両側からの隙間への指挟みを防止することができるようにすること。【解決手段】ドア１０は、ドア枠１１と、このドア枠１１に設けられたヒンジ部１２と、このヒンジ部１２を介してドア枠１１に開閉可能に支持されたドア本体１３とを備えている。ドア１０の内側には内側カバー部材２０が設けられているとともに、ドア１０の外側には外側カバー部材２１が設けられている。内側カバー部材２０及び外側カバー部材２１は、ヒンジ部１２側のドア枠１１とドア本体１３との間の隙間Ｓをカバー可能に設けられている。【選択図】図２
2008190154.tif 000002
【特許請求の範囲】
【請求項１】
ドア枠と、このドア枠に設けられたヒンジ部と、このヒンジ部を介してドア枠に開閉可能に支持されたドア本体とを備えたドアに設けられたカバー部材を含むカバー構造において、
前記カバー部材は、ヒンジ部側のドア枠とドア本体との間の隙間をカバーするとともに、前記ドアの外側と内側とにそれぞれ設けられていることを特徴とするドアのカバー構造。
【請求項２】
前記カバー部材は、可撓性を有するシート材からなり、ドア本体の閉塞時に平面視Ｕ字状に形成される部分を有する一方、ドア本体の開放時に、ドアの外側のカバー部材が折り畳まれるように変形するとともに、ドアの内側のカバー部材が前記隙間に近付く方向に変形することを特徴とする請求項１記載のドアのカバー構造。
【請求項３】
前記カバー部材は、可撓性を有するシート材からなり、このシート材をフラットな状態から丸めるように変形してドア枠とドア本体とにそれぞれ取り付けられることを特徴とする請求項１記載のドアのカバー構造。
【発明の詳細な説明】
【技術分野】
【０００１】
本発明は、ドアのカバー構造に係り、更に詳しくは、ヒンジ部側のドア枠とドア本体との間をカバーすることができるドアのカバー構造に関する。
【背景技術】
【０００２】
従来より、ヒンジ部を介して開閉するタイプのドアにおいて、ドア枠とドア本体との間の指挟みを防止することができる種々の構造が知られており、かかる構造として、特許文献１及び２に示されるタイプのものがある。
特許文献１では、蛇腹状に形成されたカバーを開示しており、ドア本体の開閉に追従するように伸縮してヒンジ部側のドア枠とドア本体との間の隙間をカバーするようになっている。
また、特許文献２では、可撓性を有する金属板からなるカバーがドア本体に取り付けられている一方、ドア枠にカバーを挿入可能な収納部が設けられている。同文献では、ドア本体の開閉により、収納部からカバーが出し入れされ、これにより、前記隙間がカバー可能となっている。
【特許文献１】実開平５−７７４８２号公報
【特許文献２】実開平６−６３７７８号公報
【発明の開示】
【発明が解決しようとする課題】
【０００３】
しかしながら、前記各特許文献の構成にあっては、ドアの内側だけにカバーを設け、ドアの外側がカバーされていないため、当該外側から隙間への指挟みを防止できなくなる、という不都合を生じる。
また、ドア本体の開閉時に、カバー自体の動きが乏しく目立たないため、ドア付近の者に、前記隙間に手等を近付けないように注意を向け難くなる、という不都合もある。
【０００４】
［発明の目的］
本発明は、このような不都合に着目して案出されたものであり、その目的は、ドアの内外両側からの隙間への指挟みを防止することができ、ヒンジ部側に注意を促すことができるドアのカバー構造を提供することにある。
【課題を解決するための手段】
【０００５】
前記目的を達成するため、本発明は、ドア枠と、このドア枠に設けられたヒンジ部と、このヒンジ部を介してドア枠に開閉可能に支持されたドア本体とを備えたドアに設けられたカバー部材を含むカバー構造において、
前記カバー部材は、ヒンジ部側のドア枠とドア本体との間の隙間をカバーするとともに、前記ドアの外側と内側とにそれぞれ設けられる、という構成が採用されている。
【０００６】
本発明において、前記カバー部材は、可撓性を有するシート材からなり、ドア本体の閉塞時に平面視Ｕ字状に形成される部分を有する一方、ドア本体の開放時に、ドアの外側のカバー部材が折り畳まれるように変形するとともに、ドアの内側のカバー部材が前記隙間に近付く方向に変形する、という構成が好ましくは採用される。
【０００７】
また、前記カバー部材は、可撓性を有するシート材からなり、このシート材をフラットな状態から丸めるように変形して前記隙間を挟むドア枠とドア本体とにそれぞれ取り付けられる、という構成を採ることが好ましい。
【発明の効果】
【０００８】
本発明によれば、ドアの外側と内側とにカバー部材がそれぞれ設けられるので、ヒンジ部側の隙間にドアの内外両側から手や指先が入ることを防止でき、ドア周りの安全性を向上させることが可能となる。
【０００９】
また、ドアの開閉により、シート材からなるカバー部材の形状を平面視Ｕ字状から折り畳んだり、隙間に沿うように変形するようにしたので、カバー部材の移動量や変形量を大きく確保してカバー部材の動きをドア付近の者の感覚に訴え易くなり、隙間への指挟み等の注意をより良く喚起させることが可能となる。
【００１０】
更に、シート材からなるカバー部材をフラットな状態から丸めるように変形して取り付けられるので、カバー部材をシンプルな形状として当該カバー部材の加工等を最小限に抑制でき、製造コストの低廉化を図ることが可能となる。
【発明を実施するための最良の形態】
【００１１】
以下、本発明の好ましい実施の形態について図面を参照しながら説明する。
なお、本明細書及び特許請求の範囲において、特に明示しない限り、「内」、「内側」とは、ドアにより隔てられた一方の空間側すなわち図１及び図２中上側を示す一方、「外」、「外側」とは、ドアにより隔てられた他方の空間側すなわち図１及び図２中下側を示す。
【００１２】
図１には、実施形態に係るカバー部材が適用されたドアの概略横断面図が示され、図２には、図１のＡ部拡大図が示されている。これらの図において、ドア１０は、ドア枠１１と、このドア枠１１の図１中右側の縦枠１１Ａに設けられたヒンジ部１２と、このヒンジ部１２を介して前記縦枠１１Ａに支持されたドア本体１３とを備えて構成されている。
ヒンジ部１２は、本実施形態では、丁番タイプのものを紙面直交方向に複数設けて構成され、ドア本体１３を図２中矢印Ｒ方向に回動して当該ドア本体１３が開閉できるようになっている。また、ドア１０のヒンジ部１２側において、前記縦枠１１Ａとドア本体１３の木口面との間には隙間Ｓが形成され、この隙間Ｓは、前記ドア本体１３の開閉により内側及び外側の開放幅がそれぞれ変化する。ここで、前記隙間Ｓをカバーするように、ドア１０の内側には内側カバー部材２０が設けられているとともに、ドア１０の外側には外側カバー部材２１が設けられている。
【００１３】
前記内側カバー部材２０及び外側カバー部材２１は、指先等が当たったときに変形し難くドア本体１３の開閉に支障がない程度の可撓性を有するシート材２２，２３からなり、当該シート材２２，２３は取り付け前の無負荷状態でフラットとなるように形成される。
内側カバー部材２０及び外側カバー部材２１の高さ位置は、ドア本体１３の上下全体に亘って設けたり、上端側をドア本体１３の上端より若干低くしたり下端側をドア本体１３の下端より若干高くしたりしてもよい。従って、外側カバー部材２１は、複数の丁番からなるヒンジ部１２の一部又は全部を覆うように設けられる。
【００１４】
前記内側カバー部材２０のシート材２２は、ドア本体１３の閉塞時に、平面視で図２中横向きのＵ字状をなすように形成されている。具体的には、シート材２２は、縦枠１１Ａ内側の見付け面１１Ｂに沿って延びる横行面部２６と、この横行面部２６の図２中左端に連なってドア本体１３側に半円弧状に延びる湾曲面部２７と、この湾曲面部２７の同図中下端に連なってドア本体１３の内面に面接触する添設面部２８とにより形成されている。
【００１５】
前記シート材２２の取り付けは、先ず、一端側すなわち添設面部２８の同図中右端側をねじ３０及び長片状の押さえ板３１を介してドア本体１３の内面側に取り付ける。その後、シート材２２を丸めるように変形し、当該シート材２２の他端側すなわち横行面部２６の同図中右端側をねじ３０及び押さえ板３１を介して前記見付け面１１Ｂに取り付けることにより、図２のような状態に取り付けが完了する。
【００１６】
前記外側カバー部材２１のシート材２３は、ドア本体１３の閉塞時に、平面視で図２中略Ｕ字状をなす部分を有するように形成されている。具体的には、シート材２３は、縦枠１１Ａ外側の見付け面１１Ｃ及びドア本体１３の外面に取り付けられる一対の取付面部３３，３４と、これら取付面部３３，３４の図２中右端側にそれぞれ連なってヒンジ部１２を囲うように形成されたＵ字状面部３５とにより形成されている。
【００１７】
前記シート材２３の取り付けは、先ず、一端側すなわち図２中右側の取付面部３３をねじ３０及び押さえ板３１を介して前記見付け面１１Ｃに取り付ける。その後、シート材２３を丸めるように変形し、当該シート材２３の他端側すなわち同図中左側の取付面部３４をねじ３０及び押さえ板３１を介してドア本体１３の外面に取り付けることにより、図２のような状態に取り付けが完了する。
【００１８】
以上の構成において、図２に示されるように、ドア本体１３を閉塞している場合、内側カバー部材２０及び外側カバー部材２１により前記隙間Ｓがカバーされ、隙間Ｓ内に不用意に指先等をアクセスすることが防止できるようになる。
一方、図３に示されるように、ドア本体１３を開放した場合、前記隙間Ｓの開放幅が拡大するが、当該隙間Ｓを形成するドア本体１３の木口面や縦枠１１Ａの図３中左面側が内側カバー部材２０によりカバーされる。また、外側からドア本体１３の外面と縦枠１１Ａとの間が外側カバー部材２１によりカバーされ、これにより、ドア本体１３を開放しても前記隙間Ｓ内への内外両側からのアクセスを防止することが可能となる。
【００１９】
ここで、図２及び図３に示されるように、ドア本体１３の開閉により、内側カバー部材２０及び外側カバー部材２１がその平面形状を大きく変化させる。すなわち、内側カバー部材２０が平面視Ｕ字状をなす形状から前記隙間Ｓに近付き、ドア本体１３の木口面や縦枠１１Ａの図３中左面に沿う形状に変化し、外側カバー部材２１が平面視略Ｕ字状をなす形状から略Ｓ字状に折り畳まれるように変形する。これにより、ドア本体１３の開閉による内側カバー部材２０及び外側カバー部材２１の移動量や変形量が大きくなり、それら自体の動きにダイナミックさを付与してドア付近の者に注意を喚起することが可能となる。
【００２０】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２１】
例えば、ヒンジ部１２は、ドア本体１３を開閉可能とする限りにおいて、ピボットヒンジタイプのものにする等、種々の変更が可能である。また、図１中左側の縦枠１１Ａにヒンジ部１２を設け、各カバー部材２０，２１を図示構成例と左右対称となる向きに取り付けてもよい。
更に、内側カバー部材２０及び外側カバー部材２１のドア枠１１やドア本体１２に対する取り付け位置は、前記実施形態と同等の作用を奏する限りにおいて変更してもよい。
また、シート材２２，２３の取り付け手段は、種々の設計変更が可能であり、例えば、接着剤や接着テープ等としてもよい。
【図面の簡単な説明】
【００２２】
【図１】実施形態に係るカバー部材が適用されたドアの概略横断面図。
【図２】図１のＡ部拡大図。
【図３】ドア本体を開放した状態を示す図２と同様の図。
【符号の説明】
【００２３】
１０・・・ドア、１１・・・ドア枠、１２・・・ヒンジ部、１３・・・ドア本体、２０・・・内側カバー部材、２１・・・外側カバー部材、Ｓ・・・隙間
【図１】
2008190154.tif 000003
【図２】
2008190154.tif 000004
【図３】
2008190154.tif 000005